(57)【要約】【課題】  従来の袋部とカップ上に支えるための支持体とを着脱自在にして支持体を繰り返し使用し袋部側を使い捨てる方式のドリップ抽出バッグは着脱が難しく手数を要した。【解決手段】  本発明は、この様な従来の課題を解決するため着脱状態を確認しやすく見て理解しやすい方式とし確実な着脱を得られる様にした。【選択図】      図１
2006223808.tif 000002
【特許請求の範囲】
【請求項１】
通水濾過性を有する柔軟なシートで袋部を構成し、この袋部をカップ上に位置させ支持するための支持体を有しこの支持体と袋部を着脱可能にして支持体を繰り返し使用し袋部だけを使い捨て使用するドリップ抽出バッグに於いて袋部の外壁側面部に帯状の保持体の両端部側だけを一体に取り付けてこの保持体の両端部間に保持体と袋部の外壁面との間に透き間を構成しこの部分を支持体がとらえて袋部をカップ上に位置し支持している事を特徴としたドリップ抽出バッグ。
【請求項２】
通水濾過性を有する柔軟なシートで袋２を構成しこの袋２は上方に口１を有しこの袋２の左右両側壁面にはそれぞれ帯状をした保持体３の両側の端部４部を袋２の外壁面に横方向に配置し左右に巾広くとらえ一体に取り付け設けておりこの左右の端部４の間の保持体３の面と袋２側の外壁面との間の透き間を上下方向に向き貫通したスペース５としている、この袋２をカップ上に支持する支持体は袋２の胴体部を左右から挟み位置して水平に伸びた一方が開放した開放部６を有したカップの口部上を渡る長さを有し全体がＵ字型をした支持体７であり袋部の左右に位置する支持部にはそれぞれ上方に伸び出てスペース５部をとらえる凸部８を有しており、この凸部８をスペース５内に入れ支持体７をカップ口部上に置き口１を開いた状態でカップ上に袋２を位置させるドリップ抽出バッグに於いて帯状をした保持体３の両側の端部４を袋２の外壁面に横方向に配置し一体に取り付け上下方向に向いたスペース５を設けている事を特徴としたドリップ抽出バッグ。
【請求項３】
通水濾過性を有する柔軟なシートで袋２を構成しこの袋２は上方に口１を有しこの袋２の左右両側壁面にはそれぞれ帯状をした保持体３の両側の端部４部を袋２の外壁面に横方向に配置し左右に巾広くとらえ一体に取り付け設けておりこの左右の端部４の間の保持体３の面と袋２側の外壁面との間の透き間を上下方向に向き貫通したスペース５としている、この袋２をカップ上に支持する支持体は袋２の胴体部を左右から挟み位置して水平に伸びた一方が開放した開放部６を有したカップの口部上を渡る長さを有し全体がＵ字型をした支持体７であり袋部の左右に位置する支持部にはそれぞれ上方に伸び出てスペース５部をとらえる凸部８を有しており、この凸部８をスペース５内に入れ支持体７をカップ口部上に置き口１を開いた状態でカップ上に袋２を位置させるドリップ抽出バッグに於いて保持体３を縦方向に帯状の保持体を位置させて保持体１３として上下の端部１４を袋２に一体に取り付けて横方向に向いたスペース１５とした事を特徴としたドリップ抽出バッグ。
【請求項４】
通水濾過性を有する柔軟なシートで袋２を構成しこの袋２は上方に口１を有しこの袋２の左右両側壁面にはそれぞれ帯状をした保持体３の両側の端部４部を袋２の外壁面に横方向に配置し左右に巾広くとらえ一体に取り付け設けておりこの左右の端部４の間の保持体３の面と袋２側の外壁面との間の透き間を上下方向に向き貫通したスペース５としている、この袋２をカップ上に支持する支持体は袋２の胴体部を左右から挟み位置して水平に伸びた一方が開放した開放部６を有したカップの口部上を渡る長さを有し全体がＵ字型をした支持体７であり袋部の左右に位置する支持部にはそれぞれ上方に伸び出てスペース５部をとらえる凸部８を有しており、この凸部８をスペース５内に入れ支持体７をカップ口部上に置き口１を開いた状態でカップ上に袋２を位置させるドリップ抽出バッグに於いてカップ上に袋２を位置させる支持体が袋２の胴体部を左右から挟み位置してカップの口部上を渡る長さを有し袋２の左右側壁部に設けたスペース５部をとらえるための凸部８を左右各有した支持体７である事を特徴としたドリップ抽出バッグ。
【請求項５】
通水濾過性を有する柔軟なシートで袋２を構成しこの袋２は上方に口１を有しこの袋２の左右両側壁面にはそれぞれ帯状をした保持体３の両側の端部４部を袋２の外壁面に横方向に配置し左右に巾広くとらえ一体に取り付け設けておりこの左右の端部４の間の保持体３の面と袋２側の外壁面との間の透き間を上下方向に向き貫通したスペース５としている、この袋２をカップ上に支持する支持体は袋２の胴体部を左右から挟み位置して水平に伸びた一方が開放した開放部６を有したカップの口部上を渡る長さを有し全体がＵ字型をした支持体７であり袋部の左右に位置する支持部にはそれぞれ上方に伸び出てスペース５部をとらえる凸部８を有しており、この凸部８をスペース５内に入れ支持体７をカップ口部上に置き口１を開いた状態でカップ上に袋２を位置させるドリップ抽出バッグに於いて保持体３を保持体１３として袋２に横方向に向いたスペース１５に袋２の左右側部に配置しカップ口部上を渡る長さを有した棒状の支持体１７を左右各スペース１５内を通しカップ上に袋２を支持する支持体１７である事を特徴としたドリップ抽出バッグ。
【請求項６】
通水濾過性を有する柔軟なシートで袋２を構成しこの袋２は上方に口１を有しこの袋２の左右両側壁面にはそれぞれ帯状をした保持体３の両側の端部４部を袋２の外壁面に横方向に配置し左右に巾広くとらえ一体に取り付け設けておりこの左右の端部４の間の保持体３の面と袋２側の外壁面との間の透き間を上下方向に向き貫通したスペース５としている、この袋２をカップ上に支持する支持体は袋２の胴体部を左右から挟み位置して水平に伸びた一方が開放した開放部６を有したカップの口部上を渡る長さを有し全体がＵ字型をした支持体７であり袋部の左右に位置する支持部にはそれぞれ上方に伸び出てスペース５部をとらえる凸部８を有しており、この凸部８をスペース５内に入れ支持体７をカップ口部上に置き口１を開いた状態でカップ上に袋２を位置させるドリップ抽出バッグに於いて袋２の左右に側部に配置して袋２を支持する支持体に横方向から袋２を出し入れできる様にするために支持体７の一方側に開放部６を設けて袋２の胴体部を開放部６側から通して左右に位置する支持体７の間に袋２部を出し入れできる様にした支持体７及び他の実施例に示す様に袋２の左右の側壁面に縦方向に帯状の保持体１３を位置させ上下の端部１４を袋２に一体に取り付け設け横方向に向いたスペース１５に袋２の左右側部に配置したカップ口部上を渡る長さで棒状をした支持体１７を左右各スペース１５内を通しカップ上に袋２を支持し一方が開放した開放部１６を有して構成した支持体１７がＵ字型の全体形をしている事を特徴としたドリップ抽出バッグ。
【請求項７】
通水濾過性を有する柔軟なシートで袋２を構成しこの袋２は上方に口１を有しこの袋２の左右両側壁面にはそれぞれ帯状をした保持体３の両側の端部４部を袋２の外壁面に横方向に配置し左右に巾広くとらえ一体に取り付け設けておりこの左右の端部４の間の保持体３の面と袋２側の外壁面との間の透き間を上下方向に向き貫通したスペース５としている、この袋２をカップ上に支持する支持体は袋２の胴体部を左右から挟み位置して水平に伸びた一方が開放した開放部６を有したカップの口部上を渡る長さを有し全体がＵ字型をした支持体７であり袋部の左右に位置する支持部にはそれぞれ上方に伸び出てスペース５部をとらえる凸部８を有しており、この凸部８をスペース５内に入れ支持体７をカップ口部上に置き口１を開いた状態でカップ上に袋２を位置させるドリップ抽出バッグに於いて支持体７が袋２の口１を閉じて袋２の胴体部が平たい状態の時にＵ字型の支持体７を左右から手で挟み支持体７の開放部６側の巾を狭めて袋２の左右の側壁部に設けた保持体３のスペース５をとらえ狭めた支持体７の左右の間の巾が元に戻る作用を生じさせる事で袋２の口１が開き固定させてカップ上に設置できる様にするため支持体７及び他の実施例に示す袋２の左右の側壁面に縦方向に帯状の保持体１３を位置させ上下の端部１４を袋２に一体に取り付け設け横方向に向いたスペース１５に袋２の左右側部に配置したカップ口部上を渡る長さで棒状をした支持体１７を左右各スペース１５内を通しカップ上に袋２を支持し一方が開放した開放部１６を有して全体がＵ字型をした支持体１７からなるドリップ抽出バッグの支持体１７を構成する部材が合成樹脂等の弾力性を有する部材で構成している事を特徴としたドリップ抽出バッグ。
【請求項８】
通水濾過性を有する柔軟なシートで袋２を構成しこの袋２は上方に口１を有しこの袋２の左右両側壁面にはそれぞれ帯状をした保持体３の両側の端部４部を袋２の外壁面に横方向に配置し左右に巾広くとらえ一体に取り付け設けておりこの左右の端部４の間の保持体３の面と袋２側の外壁面との間の透き間を上下方向に向き貫通したスペース５としている、この袋２をカップ上に支持する支持体は袋２の胴体部を左右から挟み位置して水平に伸びた一方が開放した開放部６を有したカップの口部上を渡る長さを有し全体がＵ字型をした支持体７であり袋部の左右に位置する支持部にはそれぞれ上方に伸び出てスペース５部をとらえる凸部８を有しており、この凸部８をスペース５内に入れ支持体７をカップ口部上に置き口１を開いた状態でカップ上に袋２を位置させるドリップ抽出バッグに於いて支持体７をカップ上に袋２を位置させるためにスタンド２０を設けこのスタンド２０の上部に軸２１を設けて、この軸２１を支点に左右に伸び出た支持アーム２２を取り付け、この左右の支持アーム２２は軸２１を支点に水平方向に開き可動し袋２の胴体部を左右から挟み込み支持アーム２２の先端に設けた凸部２８が袋２の左右側壁に設けた保持体３のスペース５をとらえカップ上に袋２を位置させている支持体構成とした事を特徴としたドリップ抽出バッグ。
【発明の詳細な説明】
【技術分野】
【０００１】  本発明はカップ上にセットして使用するレギュラーコーヒー等の使い捨てタイプのドリップ式抽出バッグに関する。
【背景技術】
【０００２】  従来のコーヒーバッグは通水濾過性のシートにより構成する袋内にコーヒー粉を入れ、この袋を防水加工した厚紙等の部材により構成した支持体でカップ上に位置させセットして使用するものであり袋部と支持体部を着脱可能にし支持体部を繰り返し使用し使い捨てる袋部を単純化して低コストな商品とするものである。
【特許文献１】特開２００１−３１４３２４
【特許文献２】実案昭６０−２１２３２
【特許文献３】実案平６−２１５２６
【発明の開示】
【発明が解決しようとする課題】
【０００３】  袋部をカップ上に位置させるための支持体と袋部とを着脱自在にするために袋部側に穴部を設け支持体がこの穴部をとらえる方式では袋部側の穴部を支持体の引っ掛け部がとらえセットするのに手数を要し又袋内にお湯を入れ重量が加わった時に穴部の破損が生じる問題があった。〔実案平６−２１５２６〕〔実案昭６０−２１２３２〕【０００４】  支持体に袋部を取り付ける時に袋部の上端部を支持体に挟み込む方式では、その構造方式の複雑さと確実な取り付けにはずれなどの課題があった〔特開２００１−３１４３２４〕
【課題を解決するための手段】
【０００５】  そして本発明は上記目的を達成するために、通水濾過性を有する柔軟なシートで袋２を構成しこの袋２は上方に口１を有しこの袋２の左右両側壁面にはそれぞれ帯状をした保持体３の両側の端部４部を袋２の外壁面に横方向に配置し左右に巾広くとらえ一体に取り付け設けておりこの左右の端部４の間の保持体３の面と袋２側の外壁面との間の透き間を上下方向に向き貫通したスペース５としている、この袋２をカップ上に支持する支持体は袋２の胴体部を左右から挟み位置して水平に伸びた一方が開放した開放部６を有したカップの口部上を渡る長さを有し全体がＵ字型をした支持体７であり袋部の左右に位置する支持部にはそれぞれ上方に伸び出てスペース５部をとらえる凸部８を有しており、この凸部８をスペース５内に入れ支持体７をカップ口部上に置き口１を開いた状態でカップ上に袋２を位置させ使用するものである。
【発明の効果】
【０００６】  袋２の外壁両側面部に保持体３を設けた、このスペース５内に支持体７の凸部８を差し込み袋２をとらえ支えるため外から接続状態が確認しやすくさらに保持体３は両端部４で取り付けておりその中間部が上下に貫通しているため凸部８の接続状態をより確認しやすい。【０００７】  袋２内にお湯を注ぎ加わる重量に対して袋２をとらえる保持体３を袋２の外壁面に巾広く配置し袋２に一体に取り付け設けたため袋２の一部に大きな力が加わらないため破損を防ぎ袋２を保持し又支持体７が袋２を強くとらえカップ上に支持する事ができる。
【発明を実施するための最良の形態】
【０００８】  以下、本発明の実施の形態を図１〜図２に基づいて説明する。【０００９】  そのため図に示す様に通水濾過性を有する柔軟なシートで袋２を構成しこの袋２は上方に口１を有しこの袋２の左右両側壁面にはそれぞれ帯状をした保持体３の両側の端部４部を袋２の外壁面に横方向に配置し左右に巾広くとらえ一体に取り付け設けておりこの左右の端部４の間の保持体３の面と袋２側の外壁面との間の透き間を上下方向に向き貫通したスペース５としている、この袋２をカップ上に支持する支持体は袋２の胴体部を左右から挟み位置して水平に伸びた一方が開放した開放部６を有したカップの口部上を渡る長さを有し全体がＵ字型をした支持体７であり袋部の左右に位置する支持部にはそれぞれ上方に伸び出てスペース５部をとらえる凸部８を有しており、この凸部８をスペース５内に入れ支持体７をカップ口部上に置き口１を開いた状態でカップ上に袋２を位置させている。【００１０】  他の実施例として図３〜図５に示す様に袋２の左右の側壁面に縦方向に帯状の保持体１３を位置させ上下の端部１４を袋２に一体に取り付け設け横方向に向いたスペース１５に袋２の左右側部に配置したカップ口部上を渡る長さで棒状をした支持体１７を左右各スペース１５内を通しカップ上に袋２を支持し一方が開放した開放部１６を有して全体がＵ字型をした支持体１７からなるドリップ抽出バッグとしても良い。【００１１】  図２と図４に示す様に支持体７や支持体１７は全体形がＵ字型をしており袋２を支持体に取り付ける時に袋２の下方部内にコーヒー粉が入り膨むため左右に位置した２本の支持体部の間をこの袋２部が上下に出し入れしづらく巾の狭い袋２の胴体部を支持体のＵ字型をした開放部６側から横方向に出し入れすることで袋２に支持体７及び支持体１７をセットするのに接続しやすくしている。【００１２】  図１〜図５に示す様にこの支持体７や支持体１７を弾力性を有した合成樹脂等の部材で構成し袋２が口１を閉じて胴体部が平たい状態の時に支持体７及び１７を袋２の保持体３及び１３をとらえ袋２に支持体７や１７をそれぞれセットする時にＵ字型の支持体７や１７を左右から手で挟み支持体７や１７の開放部６や１６の側の巾を狭めて袋２の左右側壁部に設けた保持体３及び１３のそれぞれのスペース５及び１５をとらえ狭めた支持体７及び１７がその弾力作用で元に戻る事で袋２の口１は開き固定させカップ上に設置できる様になる。【００１３】  図６に示す様にカップ上に袋２を位置させるためにスタンド２０を設けこのスタンド２０の上部に軸２１を設けて、この軸２１を支点に左右に伸び出た支持アーム２２を取り付け、この左右の支持アーム２２は軸２１を支点に水平方向に開き可動し袋２の胴体部を左右から挟み込み支持アーム２２の先端に設けた凸部２８が袋２の左右側壁に設けた保持体３のスペース５をとらえカップ上に袋２を位置させても良い。【００１４】  本発明は以上の構成でありこの袋２内にコーヒー粉を入れ袋２の保持体３及び１３を支持体７及び１７でとらえカップ上に設置し袋２内にお湯を注ぎ入れ使用する。
【図面の簡単な説明】
【００１５】
【図１】  本発明の使用状態を示す斜視図
【図２】  本発明の展開斜視図
【図３】  他の実施例の使用状態を示す斜視図
【図４】  他の実施例の展開斜視図
【図５】  袋２に支持体１７をセットするため開放部１６側の巾を狭めた状態の斜視図
【図６】  支持体の他の実施例を示す斜視図
【符号の説明】
【００１６】  １．口
２．袋
３．保持体
４．端部
５．スペース
６．開放部
７．支持体
８．凸部
９．カップ
１３．保持体
１４．端部
１５．スペース
１６．開放部
１７．支持体
２０．スタンド
２１．軸
２２．支持アーム
２８．凸部
【図１】
2006223808.tif 000003
【図２】
2006223808.tif 000004
【図３】
2006223808.tif 000005
【図４】
2006223808.tif 000006
【図５】
2006223808.tif 000007
【図６】
2006223808.tif 000008